(57)【要約】【課題】ＨＤＭＩ規格のケーブルなどで、複数の映像データを良好に伝送できるようにする。【解決手段】映像データ及び映像データに付随するデータを、映像データの１画素単位で画素クロックに同期して伝送を行うフォーマットで、他の装置に送出する場合において、複数の映像データを得て、その複数の映像データの各画素のデータを、それぞれ前記フォーマットで伝送可能な１フレームの各画素の伝送期間に割り当て、割り当てで合成された前記フォーマットの映像データを、画素クロックに同期して出力する。或いは、複数の映像データの内の、第１の映像データの画素データを、前記フォーマットで規定された画素データ伝送位置に配置し、第１の映像データ以外の他の映像データを、前記フォーマットで規定されたブランキング期間内のデータ伝送位置に配置する割り当てを行い、その割り当てで合成された前記フォーマットの映像データを、画素クロックに同期して出力する。【選択図】図６
2007311929.tif 000002
【特許請求の範囲】
【請求項１】
映像データ及び映像データに付随するデータを、前記映像データの１画素単位で画素クロックに同期して伝送を行うフォーマットで、他の装置に送出する映像送出装置において、
複数の映像データを出力する映像出力部と、
前記映像出力部から出力される複数の映像データの各画素のデータを、それぞれ前記フォーマットで伝送可能な１フレームの各画素の伝送期間に割り当てる割り当て部と、
前記割り当て部での割り当てで合成された前記フォーマットの映像データを、前記画素クロックに同期して出力する出力端子部とを備えたことを特徴とする
映像送出装置。
【請求項２】
請求項１記載の映像送出装置において、
前記割り当て部は、複数の映像データの同一画素位置の画素データを連続して配置し、その同一画素位置の画素データが連続して配置された映像データを、前記出力端子部から出力することを特徴とする
映像送出装置。
【請求項３】
請求項１記載の映像送出装置において、
前記画素クロックは、前記映像出力部が出力する映像データの数に対応して周波数を高くし、１フレームで伝送可能な画素数を増やしたことを特徴とする
映像送出装置。
【請求項４】
請求項１記載の映像送出装置において、
前記割り当て部は、前記フォーマットの１画面の画素数に対応して、前記複数の映像データのそれぞれの画素数を減らすサイズ変換処理を行い、そのサイズ変換された複数の映像データを、１フレームの映像を伝送する領域を分割して設定した領域に配置することを特徴とする
映像送出装置。
【請求項５】
請求項１記載の映像送出装置において、
前記映像出力部は、装置が蓄積した複数の映像データを出力する出力部であり、
前記複数の映像データは、前記蓄積した映像データのインデックス映像であることを特徴とする
映像送出装置。
【請求項６】
映像データ及び映像データに付随するデータを、前記映像データの１画素単位で画素クロックに同期して伝送を行うフォーマットで、他の装置に送出する映像送出方法において、
複数の映像データを得て、その複数の映像データの各画素のデータを、それぞれ前記フォーマットで伝送可能な１フレームの各画素の伝送期間に割り当て、
前記割り当てで合成された前記フォーマットの映像データを、前記画素クロックに同期して出力することを特徴とする
映像送出方法。
【請求項７】
映像データ及び映像データに付随するデータを、前記映像データの１画素単位で画素クロックに同期して伝送を行うフォーマットで、他の装置に送出する映像送出装置において、
複数の映像データを出力する映像出力部と、
前記映像出力部から出力される複数の映像データの内の、第１の映像データの画素データを、前記フォーマットで規定された画素データ伝送位置に配置し、前記第１の映像データ以外の他の映像データを、前記フォーマットで規定されたブランキング期間内のデータ伝送位置に配置する割り当て部と、
前記割り当て部での割り当てで合成された前記フォーマットの映像データを、前記画素クロックに同期して出力する出力端子部とを備えたことを特徴とする
映像送出装置。
【請求項８】
請求項７記載の映像送出装置において、
前記割り当て部は、前記第１の映像データ以外の他の映像データを、ブランキング期間に配置可能にデータ量を圧縮して配置することを特徴とする
映像送出装置。
【請求項９】
請求項８記載の映像送出装置において、
前記映像出力部は、装置が蓄積した複数の映像データを出力する出力部であり、
前記複数の映像データの内の他の映像データは、前記蓄積した映像データのインデックス映像であることを特徴とする
映像送出装置。
【請求項１０】
映像データ及び映像データに付随するデータを、前記映像データの１画素単位で画素クロックに同期して伝送を行うフォーマットで、他の装置に送出する映像送出方法において、
複数の映像データを得て、その複数の映像データの内の、第１の映像データの画素データを、前記フォーマットで規定された画素データ伝送位置に配置し、前記第１の映像データ以外の他の映像データを、前記フォーマットで規定されたブランキング期間内のデータ伝送位置に配置する割り当てを行い、
前記割り当てで合成された前記フォーマットの映像データを、前記画素クロックに同期して出力することを特徴とする
映像送出方法。
【請求項１１】
他の装置から送出された映像データ及び映像データに付随するデータを、前記映像データの１画素単位で画素クロックに同期して受信を行うフォーマットで、受信する映像受信装置において、
入力した映像データを、画素クロックに同期して受信する入力部と、
前記入力部で受信した前記フォーマットで規定された１フレームの映像データを、前記画素クロックに同期して複数の映像データに分割する分割部と、
前記分割部で分割された複数の映像データを表示処理する表示処理部とを備えたことを特徴とする
映像受信装置。
【請求項１２】
請求項１１記載の映像受信装置において、
前記分割部は、複数の映像データの同一画素位置の画素データが連続して配置された状態から分離することを特徴とする
映像受信装置。
【請求項１３】
請求項１１記載の映像受信装置において、
前記分割部は、１フレームの映像を伝送する領域を分割して設定した各領域から、前記複数の映像データを構成するそれぞれの映像データを抽出することを特徴とする
映像受信装置。
【請求項１４】
請求項１記載の映像受信装置において、
前記複数の映像データは、前記他の装置が蓄積した映像データのインデックス映像であり、受信した複数のインデックス映像を同一画面上に並べて表示させることを特徴とする
映像受信装置。
【請求項１５】
他の装置から送出された映像データ及び映像データに付随するデータを、前記映像データの１画素単位で画素クロックに同期して受信を行うフォーマットで、受信する映像受信方法において、
入力した映像データを、画素クロックに同期して受信し、
受信した前記フォーマットで規定された１フレームの映像データを、前記画素クロックに同期して複数の映像データに分割し、
前記分割された複数の映像データを表示処理することを特徴とする
映像受信方法。
【請求項１６】
他の装置から送出された映像データ及び映像データに付随するデータを、前記映像データの１画素単位で画素クロックに同期して受信を行うフォーマットで、受信する映像受信装置において、
入力した映像データを、画素クロックに同期して受信する入力部と、
前記入力部で受信した前記フォーマットで規定された１フレームの映像データと、前記フォーマットで規定されたブランキング期間内のデータ伝送期間に配置された映像データとを分離する分割部と、
前記分割部で分離された複数の映像データを表示処理する表示処理部とを備えたことを特徴とする
映像受信装置。
【請求項１７】
請求項１６記載の映像受信装置において、
前記分離部は、前記ブランキング期間内のデータ伝送期間に配置された映像データを、データ圧縮された状態から復号することを特徴とする
映像受信装置。
【請求項１８】
請求項１記載の映像受信装置において、
前記ブランキング期間内のデータ伝送期間に配置された映像データは、前記他の装置が蓄積した映像データのインデックス映像であり、受信した複数のインデックス映像を同一画面上に並べて表示させることを特徴とする
映像受信装置。
【請求項１９】
他の装置から送出された映像データ及び映像データに付随するデータを、前記映像データの１画素単位で画素クロックに同期して受信を行うフォーマットで、受信する映像受信方法において、
入力した映像データを、画素クロックに同期して受信し、
受信した前記フォーマットで規定された１フレームの映像データと、前記フォーマットで規定されたブランキング期間内のデータ伝送期間に配置された映像データとを分離し、
分離された複数の映像データを表示処理することを特徴とする
映像受信方法。
【発明の詳細な説明】
【技術分野】
【０００１】
本発明は、ＨＤＭＩ（High-Definition Multimedia Interface）規格と称されるデジタル映像・音声入出力インターフェース規格で映像データを伝送するシステムに適用して好適な映像送出装置、映像送出方法、映像受信装置及び映像受信方法に関する。
【背景技術】
【０００２】
近年、複数台の映像機器の間で、非圧縮のデジタル映像データなどを伝送させるインターフェース規格として、ＨＤＭＩ規格と称されるものが開発されている。ＨＤＭＩ規格は、映像データを、各色の原色データとして、１画素単位で個別に伝送する規格である（以下画素をピクセルと称する）。音声データ（オーディオデータ）についても、映像データのブランキング期間に、映像データの伝送ラインを使用して伝送するようにしてある。伝送する原色データは、赤，緑，青の加法混色の３チャンネルの原色データ（Ｒデータ，Ｇデータ，Ｂデータ）を伝送する場合、もしくはＹ，Ｃｂ，Ｃｒといった輝度および色差信号による場合などがある。
【０００３】
各色の１ピクセルのデータは、基本的に８ビット単位で伝送する構成としてある。水平同期信号や垂直同期信号などの同期信号についても、それぞれの同期信号が配置されるタイミングに送信される。また、映像データのピクセルクロックの伝送ラインと、制御データの伝送ラインについても設けてある。このように、非圧縮のデジタル映像データをピクセル単位でデータ伝送する伝送構成としてあることで、ハイデフィニション映像などを著作権保護しながら伝送することができる。
【０００４】
図２４は、ＨＤＭＩ規格のインターフェースで、原色データ（Ｒデータ，Ｇデータ，Ｂデータ）を伝送する場合の例の概要を示した図である。映像データについては、チャンネル０とチャンネル１とチャンネル２との３つのチャンネルで、ＢデータとＧデータとＲデータとを個別に伝送するようにしてある。図２４の例では、ピクセル０、ピクセル１、ピクセル２、ピクセル３、ピクセル４の５画素のデータを送る期間を示してあり、それぞれのチャンネルの１ピクセルのデータが８ビットで構成されている。
【０００５】
即ち、Ｂデータ（青データ）については、チャンネル０を使用して、ピクセル０の期間に、８ビットのＢ０データが送られ、以下、８ビットのＢ１データ、Ｂ２データ、Ｂ３データ、Ｂ４データがピクセルクロック（図示せず）に同期して順に送られる。Ｇデータ（緑データ）については、チャンネル１を使用して、ピクセル０の期間に、８ビットのＧ０データが送られ、以下、８ビットのＧ１データ、Ｇ１データ、Ｇ２データ、Ｇ３データ、Ｇ４データがピクセルクロックに同期して順に送られる。Ｒデータ（赤データ）については、チャンネル２を使用して、ピクセル０の期間に、８ビットのＲ０データが送られ、以下、８ビットのＲ１データ、Ｒ２データ、Ｒ３データ、Ｒ４データがピクセルクロックに同期して順に送られる。図２４に示したフェーズ０、フェーズ１、……がそれぞれピクセルクロックの１周期を示している。
【０００６】
図２４では示していないが、ＨＤＭＩ規格のインターフェースでは、別のチャンネルを使用して、制御データやピクセルクロックを伝送するようにしてある。制御データについては、映像データの送信側機器（ソース側機器）から受信側機器（シンク側機器）への伝送だけでなく、受信側機器（シンク側機器）から送信側機器（ソース側機器）への伝送も行える構成としてある。また、ソース側機器では、８ビット単位でデータを暗号化してあり、シンク側機器では、８ビット単位でデータをその暗号化からの復号化を行うようにしてある。
【０００７】
図２５は、ＨＤＭＩ規格のインターフェースで輝度データ（Ｙデータ）とクロマデータ（Ｃデータ）を伝送する場合の例の概要を示した図である。この場合には、チャンネル０で１ピクセルクロック当り８ビット伝送可能な内の４ビットを輝度データに、４ビットをクロマデータに割り当て、チャンネル１の８ビットを輝度データに割り当て、チャンネル２の８ビットをクロマデータに割り当てる構成としてある。このような構成としてあることで、１ピクセルクロック当り１２ビットの輝度データと１２ビットのクロマデータ（６ビットのＣｂデータ及び６ビットのＣｒデータ）が伝送可能である。
【０００８】
図２６は、ＨＤＭＩ規格のインターフェースで輝度データ（Ｙデータ）とクロマデータ（Ｃデータ）を伝送する場合の別の例の概要を示した図である。この場合には、チャンネル０を１ピクセルクロック当り８ビットのクロマデータ（Ｃｂデータ）に割り当て、チャンネル１を１ピクセルクロック当り８ビットの輝度データに割り当て、チャンネル２を１ピクセルクロック当り８ビットのクロマデータ（Ｃｒデータ）に割り当てる構成としてある。このような構成としてあることで、１ピクセルクロック当り８ビットの輝度データと１６ビットのクロマデータが伝送可能である。
【０００９】
この図２４〜図２６の伝送構成で伝送される、ＨＤＭＩ規格の伝送ライン（ＨＤＭＩケーブル）による複数の映像機器の接続としては、ディスク再生装置，ハードディスク記録再生装置，チューナ装置などの映像信号源となる機器と、表示装置（モニタ受像機、テレビジョン受像機など）とを接続するのが一般的である。映像データなどをＨＤＭＩ規格の伝送ラインに出力する機器は、ソース機器（出力装置）と称され、ＨＤＭＩ規格の伝送ラインを介して映像データなどを入力する機器は、シンク機器（受信装置）と称される。
【００１０】
特許文献１には、ＨＤＭＩ規格の詳細についての記載がある。
【特許文献１】ＷＯ２００２／０７８３３６号公報
【発明の開示】
【発明が解決しようとする課題】
【００１１】
ところで、ＨＤＭＩ規格などにより映像データをデジタル伝送する場合においては、一つのケーブルで一つの映像しか伝送ができない。そのため、マルチ画面をテレビで実現し、例えば接続されているビデオ再生機器やチューナの映像を表示し、利用者によるコンテンツの選択を非常に簡単にするには、一台のビデオ再生機器が複数の映像を提供できる場合、テレビジョン受像機とビデオ再生機器間を複数本のケーブルで接続する必要があり、利用者にコスト面での負担がかかるほか、機器の設置状況が非常に見苦しくなる。逆に、ケーブルを一本にすると、ビデオ再生機器から提供される映像は一つに限られてしまう。近年、映像再生機器は、ハードディスクレコーダなどのように大量の映像コンテンツを蓄積して再生できるものが一般化しているが、上述した問題があるために、ＨＤＭＩ規格のケーブルなどで接続した場合に、使い勝手が良いとは言えず、コンテンツの選択を行う際の操作性などが良いとは言えなかった。
【００１２】
本発明はかかる点に鑑みてなされたものであり、ＨＤＭＩ規格のケーブルなどで、複数の映像データを良好に伝送できるようにすることを目的とする。
【課題を解決するための手段】
【００１３】
第１の発明は、映像データ及び映像データに付随するデータを、映像データの１画素単位で画素クロックに同期して伝送を行うフォーマットで、他の装置に送出する場合において、複数の映像データを得て、その複数の映像データの各画素のデータを、それぞれ前記フォーマットで伝送可能な１フレームの各画素の伝送期間に割り当て、割り当てで合成された前記フォーマットの映像データを、画素クロックに同期して出力するものである。
【００１４】
第２の発明は、映像データ及び映像データに付随するデータを、映像データの１画素単位で画素クロックに同期して伝送を行うフォーマットで、他の装置に送出する場合において、複数の映像データを得て、その複数の映像データの内の、第１の映像データの画素データを、前記フォーマットで規定された画素データ伝送位置に配置し、第１の映像データ以外の他の映像データを、前記フォーマットで規定されたブランキング期間内のデータ伝送位置に配置する割り当てを行い、その割り当てで合成された前記フォーマットの映像データを、画素クロックに同期して出力するものである。
【００１５】
第３の発明は、他の装置から送出された映像データ及び映像データに付随するデータを、前記映像データの１画素単位で画素クロックに同期して受信を行うフォーマットで、受信する場合において、入力した映像データを、画素クロックに同期して受信し、受信した前記フォーマットで規定された１フレームの映像データを、画素クロックに同期して複数の映像データに分割し、分割された複数の映像データを表示処理するものである。
【００１６】
第４の発明は、他の装置から送出された映像データ及び映像データに付随するデータを、映像データの１画素単位で画素クロックに同期して受信を行うフォーマットで、受信する場合において、入力した映像データを、画素クロックに同期して受信し、受信した前記フォーマットで規定された１フレームの映像データと、前記フォーマットで規定されたブランキング期間内のデータ伝送期間に配置された映像データとを分離し、分離された複数の映像データを表示処理するものである。
【００１７】
これらの発明の処理を行うことで、規定されたフォーマットで、複数の映像データを同時に伝送することが可能になる。
【発明の効果】
【００１８】
本発明によると、ＨＤＭＩ規格のような、本来は種類の映像データを伝送する規格のケーブルを利用して、複数種類の映像データを同時に伝送できるようになる。このため、例えば送出元が記憶した映像コンテンツのインデックス用映像のような多種類の映像を同時に伝送して、受信側で同時に表示させるような処理が可能になる。
【発明を実施するための最良の形態】
【００１９】
以下、本発明の第１の実施の形態を、図１〜図１４を参照して説明する。
【００２０】
本例においては、表示装置と、その表示装置に映像データを伝送可能な複数台の録画再生装置で、映像プログラム視聴システムを構成したものである。図１は、そのシステム構成例を示したものである。テレビジョン受像機として構成された表示装置１０は、ＨＤＭＩ規格の伝送ライン１で、第１の録画再生装置３０と接続してある。また、表示装置１０は、別のＨＤＭＩ規格の伝送ライン１で、第２の録画再生装置５０と接続してある。
【００２１】
図２は、本例の表示装置１０の構成例を示した図である。テレビジョン受像機として構成された表示装置１０は、ＨＤＭＩケーブル１(図１)を接続するためのＨＤＭＩ端子１１を備える。このＨＤＭＩ端子１１は、映像データなどを入力する端子であり、ＨＤＭＩ伝送処理部１２が入力した映像データや音声データの入力処理を行う。このＨＤＭＩ伝送処理部１２での入力処理は、ＨＤＭＩ伝送制御部１３の制御で実行される。制御データなどの一部のデータについては、ＨＤＭＩ伝送制御部１３の制御で、ＨＤＭＩ伝送処理部１２からＨＤＭＩ端子１１に接続されたケーブル１に送出可能である。
【００２２】
ＨＤＭＩ端子１１を使用した伝送は、この表示装置全体の動作を制御する制御部１７により制御される。表示装置１０での映像を表示させる構成としては、映像表示処理部１８を備え、ＨＤＭＩ端子１１で受信した映像データ、或いはチューナ２７で受信した映像データを、表示用に処理し、表示パネル１９に表示させる。表示パネルとしては、液晶表示パネルなどの各種映像表示手段が適用可能である。
【００２３】
また、表示装置１０は、音声処理部２０を備える。音声処理部２０では、ＨＤＭＩ端子１１で受信した音声データ、或いはチューナ２７で受信した音声データを音声処理して、アナログ変換された音声信号を得る。変換された音声信号は、出力処理部２１で増幅などの出力処理をして、接続されたスピーカ２２Ｌ，２２Ｒから出力させる。
【００２４】
表示装置１０のＨＤＭＩ端子１１を介して受信可能な映像コンテンツのリストは、制御部１７の制御でＨＤＭＩコンテンツリスト記憶部２５に記憶させる。このコンテンツのリストは、ＨＤＭＩ端子１１に接続された機器と制御データのやり取りが段階で、その相手の機器から取得する処理を行って、伝送処理部１２で受信したデータをＨＤＭＩコンテンツリスト記憶部２５に記憶させる。さらに、ＨＤＭＩ端子１１を介したデータ伝送状態については、ＨＤＭＩステータス記憶部２６が記憶するようにしてある。このＨＤＭＩステータス記憶部２６に記憶される具体的なステータスとしては、例えば、映像コンテンツを受信している際に、その受信中のコンテンツを特定するのに必要なデータと、映像コンテンツを受信（再生）した区間のデータとがある。
【００２５】
表示装置１０のＨＤＭＩ端子１１を介して受信して再生（視聴）した映像コンテンツの再生位置は、コンテンツ再生位置記憶部２８が記憶して、その記憶部２８が記憶した再生位置を、制御部１７が判断できる構成としてある。
【００２６】
図３は、本例の第１の録画再生装置３０の構成例を示した図である。映像コンテンツ（映像プログラム）を受信して録画し、その録画された映像コンテンツを再生するビデオレコーダとして構成された第１の録画再生装置３０は、ＨＤＭＩケーブル１(図１)を接続するためのＨＤＭＩ端子３１を備える。このＨＤＭＩ端子３１は、映像データなどを出力する端子であり、ＨＤＭＩ伝送処理部３２が映像データや音声データの出力処理を行う。このＨＤＭＩ伝送処理部３２での入力処理は、ＨＤＭＩ伝送制御部３３の制御で実行される。制御データなどの一部のデータについては、ＨＤＭＩ伝送制御部３３の制御で、ケーブルで接続された相手の機器（入力機器）に送信でき、また相手の機器から伝送された制御データなどのデータについては、ＨＤＭＩ伝送制御部３３が判別できるようにしてある。
【００２７】
ＨＤＭＩ端子３１を使用した伝送は、この録画再生装置全体の動作を制御する制御部３４により制御される。録画再生装置内には、映像コンテンツ（放送番組、映画などの映像プログラム）を蓄積するコンテンツ記憶部４２を備える。コンテンツ記憶部４２は、例えば大容量のハードディスクで構成される。コンテンツ記憶部４２での映像コンテンツの記憶（録画）と、その記憶されたコンテンツの再生処理は、コンテンツ録画再生部４３で実行される。コンテンツ録画再生部４３で再生処理された映像コンテンツは、ＨＤＭＩ端子３１から出力される。
【００２８】
コンテンツ記憶部４２に記憶されたコンテンツのリストについては、コンテンツリスト記憶部４１に記憶してある。コンテンツリスト記憶部４１とコンテンツ記憶部４２は、同一の記憶部（ハードディスクなど）を使用してもよい。コンテンツ記憶部４２に記憶されるコンテンツのリストとしては、映像コンテンツが放送番組である場合には、放送番組に関する電子番組情報（ＥＰＧ：Electric Program Guide）を利用して、番組タイトル、放送日時、長さ（録画時間）、出演者、番組内容などを記憶したリストとする。映像コンテンツがビデオカメラ装置で撮影された映像コンテンツである場合には、撮影日時、タイトル、長さなどを記憶したリストとする。また、本例の場合には、それぞれの映像コンテンツのリストに、インデックス用映像を用意して、そのインデックス用映像を表示装置１０側に伝送できる構成としてある。インデックス用映像としては、いわゆるサムネイル映像を表示させる映像データとしてあり、映像コンテンツの主要部などの映像から生成した動画像データとしてある。このインデックス用映像の伝送処理例については後述する。
なお、第２の録画再生装置５０の内部構成については図示しないが、第１の録画再生装置３０と同様の構成である。
【００２９】
次に、第１の録画再生装置３０のＨＤＭＩ端子３１と、表示装置１０のＨＤＭＩ端子１１との間で、ＨＤＭＩケーブル１で伝送される各チャンネルのデータ構成例について説明する。ＨＤＭＩ規格では、図４に示すように、映像データを伝送するチャンネルとして、チャンネル０と、チャンネル１と、チャンネル２の３つのチャンネルが用意してあり、さらにピクセルクロックを伝送するクロックチャンネルが用意してある。また、電源の伝送ラインと、制御データ伝送チャンネルとしての、ＤＤＣ（Display Data Channel）ライン及びＣＥＣ（Consumer Electronics Control）ラインが用意してある。後述するコンテンツリストの要求、再生位置の指示、及びそれらの指示に対する返送は、例えばこの制御データ伝送チャンネルとしてのＣＥＣのチャンネルを利用して行われる。
【００３０】
送信側（第１の録画再生装置３０）では、映像データを伝送するチャンネル毎に、データ合成部３２Ａ，３２Ｂ，３２Ｃが伝送処理部３２内に用意してあり、受信側（表示装置１０）でも、映像データを伝送するチャンネル毎に、データ分離部１２Ａ，１２Ｂ，１２Ｃが伝送処理部１２内に用意してある。
【００３１】
各チャンネルの構成について説明すると、チャンネル０では、Ｂデータ（青色データ）のピクセルデータと、垂直同期データと水平同期データと補助データとを伝送するようにしてある。チャンネル１では、Ｇデータ（緑色データ）のピクセルデータと、２種類の制御データ（ＣＴＬ０，ＣＴＬ１）と、補助データとを伝送するようにしてある。チャンネル２では、Ｒデータ（赤色データ）のピクセルデータと、２種類の制御データ（ＣＴＬ２，ＣＴＬ３）と、補助データとを伝送するようにしてある。
【００３２】
図５は、本例の伝送構成で伝送される、１フレームのライン構成及びピクセル構成を示した図である。本例の場合に伝送される映像データ（主映像データ）は、非圧縮データであり、垂直ブランキング期間及び水平ブランキング期間が付加されている。具体的には、図５の例では、表示される映像エリア（アクティブビデオエリアとして示すエリア）として、４８０ライン×７２０ピクセルのピクセルデータとしてあり、ブランキング期間まで含めたライン数及びピクセル数として５２５ライン及び８５８ピクセルとしてある。ブランキング期間中のダブルハッチングで示すエリアはデータアイランドと称される、補助データを付加することが可能な期間である。
【００３３】
次に、本例の第１の録画再生装置３０から表示装置１０に、ＨＤＭＩケーブル１を使用して映像データを伝送する構成及び処理について説明する。ここでは、第１の録画再生装置３０から表示装置１０に、１組のＨＤＭＩケーブル１を使用して、複数の映像データを伝送するようにしてあり、以下の説明では、複数の映像データの伝送処理構成を中心に説明する。
【００３４】
まず、第１の録画再生装置３０での映像データ送出構成を、図６を参照して説明する。図６に示した処理構成は、図３に示した制御部３４の制御の下に実行される。
第１の録画再生装置３０は、事前にアンテナ入力端子４４ａを通して放送信号をチューナ部４４で受信し、大容量記憶装置であるコンテンツ記憶部４２に記憶してある。このとき、縮小して利用する映像や、放送信号とは異なる圧縮方式で蓄積する映像に関しては、記録再生部４３（図３）内のサイズ・圧縮方法変換部４３ａにおいて所望の変換を行なって大容量記憶装置に記憶させる。大容量記憶装置上に置かれた圧縮映像は、それぞれ個別の映像データごとに、デコード部１１１ａ，１１１ｂ，……１１１ｎにより個別に非圧縮映像に変換した後、サイズ変換部１１２ａ，１１２ｂ，……１１２ｎにより送出するのに必要なサイズに変換し、ＨＤＭＩ伝送処理部３２（図３）内のスイッチ部３２ａへ供給する。スイッチ部３２ａでは、送出する映像の選択を行なう。送出する映像は、ピクセル判別部３２ｄがピクセルごとに映像選択を行ない、送出する複数の映像で1ピクセルずつ順に選択し、全て選択した時に元の映像から繰り返すように選択するようにする。
【００３５】
スイッチ部３２ａでの選択処理としては、後述する図１２に伝送例を示したように、例えば、画面Ｊ，画面Ｋ，画面Ｌと３つの映像データを伝送する場合、ピクセル０を画面Ｊ，画面Ｋ，画面Ｌと３回連続して送出した後に、ピクセル１に関して同様に行ない、複数画面の映像データを連続して伝送する。このために、クロック生成部３２ｃが生成したピクセルクロックを、ＨＤＭＩ伝送処理部３２内のインターフェース部３２ｂとピクセル判別部３２ｄに供給し、送出タイミングとスイッチの選択タイミングの同期をとっている。同時に受信した３つの画面Ｊ，画面Ｋ，画面Ｌは、例えば、１つの画面上に縮小して同時に並べて表示させる。例えば、動画像のサムネイル画像である場合には、表示装置１０でコンテンツリスト表示を行う際に、その動画像を並べて表示させて、ユーザにその表示された動画像の中から、再生するコンテンツを選択させる。
【００３６】
図７は、このようにしてＨＤＭＩケーブル１に送出された映像データを、表示装置１０で受信する処理構成を示した図である。図７に示した処理構成は、図２に示した制御部１７の制御の下に実行される。
表示装置１０においては、クロック部１２ｃで受信したピクセルクロックに同期して、インターフェース部１２ａでデータを受信し、スイッチ部１２ｂに供給する。ピクセル判別部１２ｄでは、受信したピクセルがどの映像データに属するものか判別し、その結果をスイッチ部１２ｂに供給することで、映像データをそれぞれ個別に蓄積する画像メモリ１２１ａ，１２１ｂ，……１２１ｎに対してピクセル単位で分類して供給し、複数の映像に分割する。その後必要に応じて、テキストなどの付加画像を生成する付加画像生成部１２３からの映像と画像合成部１２２で合成し、表示パネル１９で表示を行なう。
【００３７】
次に、図６に示した映像送出処理構成での動作を、図８のフローチャートを参照して説明する。まず、送出する複数の映像を各々適切なサイズに変換し（ステップＳ１１）、映像受信装置と送受信の同期をとるための同期信号を送出する（ステップＳ１２）。そして、送出タイミングがブランキング期間であるか確認し（ステップＳ１３）、ブランキング期間の場合はブランキング期間で送出する制御データなどを送出し（ステップＳ１４）、ステップＳ１２から繰り返す。
【００３８】
ステップＳ１３でブランキング期間でない場合は映像データを送出する。そこで、まず送出する画面内の位置、および送出する映像の画面番号を初期化して（ステップＳ１５，Ｓ１６）、指定された画面の座標のピクセルを送出する（ステップＳ１７）。次に、座標は変えずに、送出する映像画面をピクセル判別部により変更し（ステップＳ１８）、全ての映像画面が送出されていないか確認し（ステップＳ１９）、まだ送出されていない映像画面であるならば、ステップＳ１７に戻って、その映像画面の同じ座標のピクセルを送出する。反対に、その座標では全ての映像画面の送出が行なわれた場合には、座標を水平方向に移動させ（ステップＳ２０）、そのラインが端まで来ていないか確認し（ステップＳ２１）、端まで来ていなければ、ステップＳ１６に戻って、送出する画面の選択を再度行なって、処理を繰り返す。また、ラインの端まで水平移動して１ラインのピクセルを送出してしまった場合には、座標を垂直方向に移動し（ステップＳ２２）、全ライン送出完了したか確認して（ステップＳ２３）、未完了であれば、ステップＳ１２から処理を繰り返す。
【００３９】
次に、図７に示した映像受信処理構成での動作を、図９のフローチャートを参照して説明する。まず、同期信号（ピクセルクロック）の到着を待って同期をとり（ステップＳ３１）、ブランキング期間であるか確認して（ステップＳ３２）、ブランキング期間であれば、ブランキング期間の信号を受信する（ステップＳ３３）。ブランキング期間でない場合は、画面内の座標、および画面番号を初期化し（ステップＳ３４，Ｓ３５）、その画面番号の座標のピクセルとしてピクセル判別部により判別し、スイッチ部で分類して受信データを保存する（ステップＳ３６）。そして、画面番号を変更し（ステップＳ３７）、全ての画面で受信したか確認して（ステップＳ３８）、未受信の画面があればステップＳ３６から繰り返す。ステップＳ３８で、その座標では全ての画面で受信した場合には、座標を水平方向に移動し（ステップＳ３９）、ラインの端まで移動したか確認して（ステップＳ４０）、まだであればステップＳ３５から処理を繰り返し、1ライン終了した場合には座標を垂直方向に移動し（ステップＳ４１）、全ライン受信したか確認して（ステップＳ４２）、まだであればステップＳ３１から処理を繰り返す。
【００４０】
なお、本例のように１ピクセル単位で複数の映像データを伝送する場合には、映像送出装置（録画再生装置３０）から映像受信装置（表示装置１０）に、ＨＤＭＩケーブル１内の制御データ伝送用のチャンネル（例えば図４に示したＤＤＣチャンネル）を使用して、このような伝送データ構成であることを知らせる。即ち、例えば、図１０に示す制御データとして送出されるパケットの１つである、ＡＶＩインフォフレームのパケットヘッダと、図１１に示すヘッダに続いたパケットで、該当する映像データ構成であることを伝える。図１１に示すように、各映像データの配置位置の詳細データを伝送し、受信側でこのデータを判別して正しく分離できるようにする。
【００４１】
図１２〜図１４は、本例でのＨＤＭＩケーブル１での伝送例を示した図である。図１２の例は、画面Ｊ，画面Ｋ，画面Ｌと３つの映像データを伝送する場合の例である。図１２では、原色データ（Ｒデータ，Ｇデータ，Ｂデータ）を伝送する場合の例であり、チャンネル０とチャンネル１とチャンネル２との３つのチャンネルで、ＢデータとＧデータとＲデータとを個別に伝送するようにしてある。それぞれのチャンネルの１ピクセルのデータが８ビットで構成され、この８ビットデータ（３チャンネル合計で２４ビットデータ）が、１ピクセルクロック周期で伝送される。
【００４２】
本例の場合には、ピクセル０の期間は３ピクセルクロック期間連続し、その３ピクセルクロック期間の最初の１周期で画面Ｊの２４ビットデータを伝送し、次の１周期で画面Ｋの２４ビットデータを伝送し、最後の１周期で画面Ｌの２４ビットデータを伝送する。以下、各ピクセルクロック期間が３クロック周期ずつ設定されて伝送される。
【００４３】
なお、図２４に示した従来の１画面の画素データだけを伝送させる場合の画素数と、この図１２の例の場合に、それぞれの映像データで構成される画面の画素数が同じ場合には、ピクセルクロックを約３倍の周波数にする必要がある。ピクセルクロック周期が同じ場合には、伝送可能な１画面の画素数が１／３に低下する。
【００４４】
図１３及び図１４は、輝度データ（Ｙデータ）とクロマデータ（Ｃデータ）を伝送する場合に、本例の処理を適用した場合の例を示した図である。図１３及び図１４は、それぞれ画像ａ及び画像ｂの２つの映像データを伝送する場合の例である。図１３及び図１４に示すように、背景技術の欄で説明した図２５及び図２６に示した伝送処理が、各ピクセルごとに２重に伝送されて、画像ａ及び画像ｂの２つの映像データを同時に伝送する状態となっている。この場合にも、各映像データの画素数が同じ場合には、ピクセルクロックを対応して高周波数化する必要がある。
【００４５】
なお、本例の場合には、各ピクセルで全ての画面のピクセルを送出するため、全ての画面でピクセル数、即ち画面サイズを統一することも可能だが、同時に伝送する複数の映像データで、画面サイズが異なっていても良い。この場合、一番大きなサイズの画面に合わせてピクセル数を決定し、大きなサイズの画面のデータが残っていても、小さなサイズの画面のデータは先に送出完了してしまうので、小さなサイズのピクセルの送出期間にはデータを流さなければ良い。
【００４６】
以上説明したように、本例の伝送構成とすることで、１本（１組）のケーブルで複数の映像を同時に伝送させることが可能になる。従って、複数のケーブルを設ける必要がなく、機器の接続構成が簡単になる。また、動画像によるサムネイル表示などのインデックス画像表示が可能となり、ソース機器上の複数のコンテンツを、シンク機器側で容易に選択することが可能となる。また、シンク機器側が、もし本例の処理に未対応である場合には、複数伝送された映像データの内の１つの映像データだけを選んで表示させればよく、この処理は、１つの画素データごとに２重に重ねて伝送するピクセルダブリング処理と同じであり、ＨＤＭＩ規格に対応したシンク機器の場合には容易に対処可能であり、映像が乱れるようなことがない。さらに、ピクセルの重複する数の設定に自由度があるため、無駄なく複数のコンテンツを伝送できる。
【００４７】
次に、本発明の第２の実施の形態を、図１５〜図１９を参照して説明する。本実施の形態における基本的な伝送システム構成については、第１の実施の形態で説明した図１〜図５の構成と同じであり、ＨＤＭＩケーブル１で記録再生装置３０と表示装置１０とを接続する基本的な構成は同じである。そして本実施の形態においては、複数の映像データを同時に伝送する処理の詳細が第１の実施の形態とは異なる。以下の説明では、相違点を中心に説明する。
【００４８】
図１５は、第１の録画再生装置３０での映像データ送出構成を示した図である。図１５に示した処理構成は、図３に示した制御部３４の制御の下に実行される。
第１の録画再生装置３０は、事前にアンテナ入力端子４４ａを通して放送信号をチューナ部４４で受信し、大容量記憶装置であるコンテンツ記憶部４２に記憶してある。このとき、縮小して利用する映像や、放送信号とは異なる圧縮方式で蓄積する映像に関しては、記録再生部４３（図３）内のサイズ・圧縮方法変換部４３ａにおいて所望の変換を行なって大容量記憶装置に記憶させる。大容量記憶装置上に置かれた圧縮映像は、それぞれ個別の映像データごとに、デコード部１１１ａ，１１１ｂ，……１１１ｎにより個別に非圧縮映像に変換した後、サイズ変換部１１２ａ，１１２ｂ，……１１２ｎにより送出するのに必要なサイズに変換し、ＨＤＭＩ伝送処理部３２（図３）内のスイッチ部３２ａへ供給する。スイッチ部３２ａでは、送出する映像の選択を行なう。送出する映像は、画面内領域判別部３２ｅが画面内領域ごとに映像選択を行なう。
【００４９】
ここで、図１９を参照して１画面内の各領域の映像選択例を説明する。図１９は、本例での伝送構成を示した図である。図１９はＨＤＭＩ規格での１フレームの伝送構成を示した図である。本例の場合には、画像Ｊ，Ｋ，Ｌ，Ｍ，Ｏ，Ｐ，Ｑ，Ｒの９種類の映像データを同時に伝送させる例である。この画像Ｊ〜Ｒの９個の映像データの伝送領域として、本来１フレームの映像データの画素データを配置するアクティブビデオ領域を、９等分に分割して、各領域を設定してある。この図１９の例では、アクティブビデオ領域全体が４８０ライン×７２０ピクセルで構成してあり、１つの分割領域として、１６０ライン×２４０ピクセルで構成する。
【００５０】
図１５の説明に戻ると、このように伝送領域を分けるために、映像データを送出するインターフェース部３２ｂにクロック生成部３２ｃから供給するピクセルクロックを、画面内領域判別部３２ｅにも供給する。画面内領域判別部３２ｅでは、現在の送出タイミングがどの領域にあるか、つまり、どの映像を送るかを判別する。そして、その判別に基づいて、スイッチ部３２ａの切替えを制御して、スイッチ部３２ａは送出する映像の選択を行なう。
【００５１】
図１６は、このようにしてＨＤＭＩケーブル１に送出された映像データを、表示装置１０で受信する処理構成を示した図である。図１６に示した処理構成は、図２に示した制御部１７の制御の下に実行される。
表示装置１０においては、クロック部１２ｃで受信したピクセルクロックに同期して、インターフェース部１２ａでデータを受信し、スイッチ部１２ｂに供給する。画面内領域判別部１２ｊでは、受信した映像データがどの分割領域に属するものか判別し、その結果をスイッチ部１２ｂに供給することで、映像データをそれぞれ個別に蓄積する画像メモリ１２１ａ，１２１ｂ，……１２１ｎに対して分類して供給し、複数の映像に分割する。その後必要に応じて、テキストなどの付加画像を生成する付加画像生成部１２３からの映像と画像合成部１２２で合成し、表示パネル１９で表示を行なう。表示としては、例えば、受信した複数の映像を同時に並べて表示させるようにする。それぞれの映像データが動画サムネイル画像として構成される場合には、コンテンツリストなどの一覧表示を行う際に、リストなどと並べて動画像を表示されればよい。
【００５２】
次に、図１５に示した映像送出処理構成での動作を、図１７のフローチャートを参照して説明する。まず、送出する複数の映像を各々適切なサイズに変換し（ステップＳ５１）、映像受信装置と送受信の同期をとるための同期信号を送出する（ステップＳ５２）。そして、送出タイミングがブランキング期間であるか確認し（ステップＳ５３）、ブランキング期間である場合は、ブランキング期間で送出する制御データなどを送出し（ステップＳ５４）、ステップＳ５２から繰り返す。
【００５３】
ステップＳ５３でブランキング期間でない場合は、映像データを送出する。映像データの送出処理としては、まず送出する画面内の位置、および送出する映像の画面番号を初期化して（ステップＳ５５，Ｓ５６）、指定された画面の座標のピクセルを送出する（ステップＳ５７）。次に、座標を水平方向に移動し（ステップＳ５８）、画面内領域判別部により領域の境界まで移動したか確認し（ステップＳ５９）、境界に達していなければステップＳ５７から繰り返す。逆に境界に達していたら、１ライン送出完了したか確認し（ステップＳ６０）、未完了の場合には送出する画面番号を対応する領域の番号に変更し（ステップＳ６１）、ステップＳ５７から繰り返す。逆に1ラインの送出が完了した場合には、座標を垂直方向に移動させ（ステップＳ６２）、割り当て領域の境界か否か確認し（ステップＳ６３）、境界でない場合にはステップＳ５２から処理を繰り返す。割り当て領域の境界である場合には、全ライン送出したか確認して（ステップＳ６４）、まだであれば送出画面を別の映像データに変更して（ステップＳ６５）、ステップＳ５２から繰り返す。
【００５４】
次に、図１６に示した映像受信処理構成での動作を、図１８のフローチャートを参照して説明する。まず、同期信号（ピクセルクロック）の到着を待って同期をとり（ステップＳ７１）、ブランキング期間であるか確認し（ステップＳ７２）、ブランキング期間であれば、ブランキング期間の信号を受信する（ステップＳ７３）。ブランキング期間でない場合は、画面内の座標および画面番号を初期化し（ステップＳ７４，Ｓ７５）、その画面番号の座標のピクセルとして受信データを保存する（ステップＳ７６）。そして、座標を水平方向に移動し（ステップＳ７７）、画面内領域判別部１２ｅにより座標が領域の境界に達したか確認し（ステップＳ７８）、達していなければステップＳ７６から繰り返す。逆に達していた場合には、1ライン受信し終わったか確認し（ステップＳ７９）、未完了の場合には受信する画面番号を変更し（ステップＳ８０）、ステップＳ７６から処理を繰り返す。ここで1ラインの受信が完了していた場合には、垂直方向に座標を移動し（ステップＳ８１）、割り当て領域の境界か否か確認し（ステップＳ８２）、境界でない場合にはステップＳ７１から処理を繰り返す。割り当て領域の境界である場合には、全ライン受信したか確認し（ステップＳ８３）、未完了であれば、画面を変更して（ステップＳ８４）、ステップＳ７１から繰り返す。
【００５５】
なお、図１９に示した画面全体の区切り方は、一例を示したものであり、等分となるような領域に分割しても良いし、大きさの異なる領域に分割しても良い。この場合、異なる大きさの映像を送出することが可能となる。
また、画面全体に様々な領域を割り当てた後、映像データが割り当てられていない領域が存在しても構わない。この場合、伝送上の効率は低下するが、画面サイズの設定を自由に行なうことが可能となる。
さらに、一つの映像の連続したフレームを複数の領域で伝送しても良い。この場合、特定の映像を早送りするなど再生速度を変化させることが可能である。
【００５６】
以上説明したように１フレームの画素データを伝送する領域を複数に分割して、複数の映像データを画素単位で伝送させることで、第１の実施の形態の場合と同様に、１本のケーブルで複数の映像を伝送することが可能となり、複数のケーブルを設ける必要がなくなる。そして、本実施の形態の場合にも、動画サムネイルなどによる表示が可能となり、ソース機器上の複数のコンテンツを容易に選択することが可能となる。また、シンク側機器が本例の受信処理に未対応であった場合でも、図１９に示したように、ＨＤＭＩ規格のフレーム構造は維持されているので、複数の映像が並んで配置された表示映像となり、表示映像が乱れることがない。図１９は一例を示したものであり、画面の領域を細分化すれば、大量の映像を伝送することが可能となる。
【００５７】
次に、本発明の第３の実施の形態を、図２０〜図２３を参照して説明する。本実施の形態における基本的な伝送システム構成については、第１の実施の形態で説明した図１〜図５の構成と同じであり、ＨＤＭＩケーブル１で記録再生装置３０と表示装置１０とを接続する基本的な構成は同じである。そして本実施の形態においては、複数の映像データを同時に伝送する処理の詳細が、第１及び第２の実施の形態とは異なる。本実施の形態においては、メインの映像データ（第１の映像データ）については、ＨＤＭＩ規格で規定された映像区間（図５のアクティブビデオエリア）で伝送し、その他の映像データを、圧縮された映像データとして、ブランキング期間内のデータアイランドの区間に伝送するようにしたものである。以下の説明では、相違点を中心に説明する。
【００５８】
図２０は、第１の録画再生装置３０での映像データ送出構成を示した図である。図２０に示した処理構成は、図３に示した制御部３４の制御の下に実行される。
第１の録画再生装置３０は、事前にアンテナ入力端子４４ａを通して放送信号をチューナ部４４で受信し、大容量記憶装置であるコンテンツ記憶部４２に記憶する。このとき、縮小して利用する映像や、放送信号とは異なる圧縮方式で蓄積する映像に関しては、サイズ・圧縮方法変換部４３ａにおいて所望の変換を行なって大容量記憶装置に記憶する。大容量記憶装置上に置かれた圧縮映像で、非圧縮映像信号として伝送される映像は、デコード部１１３により復号され、重畳部３２ｆを経由してインターフェース部３２ｂで出力される。この映像データにおけるブランキング期間を、ブランキング期間判別部３２ｅが、インターフェース部３２ｂと共にクロック生成部３２ｃから供給されるクロックにより判別し、重畳部３２ｆに供給することにより、ブランキング期間にスイッチ部３２ａからの信号を重畳する。スイッチ部３２ａにおいては、ブランキング期間内割り当て部３２ｇによる指示に基づいて、大容量記憶装置上の圧縮映像信号を選択して重畳部３２ｆへ出力する。
【００５９】
図２１は、このようにしてＨＤＭＩケーブル１に送出された映像データを、表示装置１０で受信する処理構成を示した図である。図２１に示した処理構成は、図２に示した制御部１７の制御の下に実行される。
表示装置１０においては、クロック部１２ｃで受信したピクセルクロックに同期して、インターフェース部１２ａでデータを受信し、分離部１２ｅに供給する。ブランキング期間判別部１２ｆにも受信データの同期信号が供給される。分離部１２ｅでは、ブランキング期間判別部１２ｆからの指示に基づき、ブランキング期間にある信号をスイッチ部１２ｈへ、映像データを画像メモリ１２６へと分離する。スイッチ部１２ｈに入力されたブランキング期間のデータは、期間内割り当て部１２ｉからの画面番号の判別に基づいて、どの画面の圧縮映像信号か分類し、それぞれ別のデコード部１２４ａ，１２４ｂ……１２４ｎに入力し、映像非圧縮映像データに復号する。復号された映像非圧縮映像データは、それぞれ別の画像メモリ１２５ａ，１２５ｂ……１２５ｎに入力される。その後必要に応じて、テキストなどの付加画像を生成する付加画像生成部１２３からの映像と画像合成部１２２で合成し、表示パネル１９で表示を行なう。
【００６０】
次に、図２０に示した映像送出処理構成での動作を、図２２のフローチャートを参照して説明する。まず、映像受信装置と送受信の同期をとるための同期信号を送出する（ステップＳ９１）。そして、ブランキング期間に送出する画面番号を初期化し（ステップＳ９２）、ブランキング期間にあるか確認する（ステップＳ９３）。ブランキング期間であれば、ステップＳ１０１〜Ｓ１０６の処理を行ない、そうでない場合は、ステップＳ９４〜Ｓ１００の処理を行なう。
【００６１】
ブランキング期間にない場合の処理から説明すると、ブランキング期間でない映像信号の期間で送出する非圧縮の映像があるか確認する（ステップＳ９４）。非圧縮の映像がない場合はステップＳ９３から繰り返し、あった場合には送出する座標を初期化する（ステップＳ９５）。そして、座標のピクセルを送出し（ステップＳ９６）、座標を水平方向に移動し（ステップＳ９７）、１ライン送出完了したか確認して（ステップＳ９８）、完了していなければステップＳ９６から繰り返す。1ライン完了した場合は、座標を垂直方向に移動し（ステップＳ９９）、全ライン完了したか確認し（ステップＳ１００）、完了するまでステップＳ９１から繰り返す。
【００６２】
一方、ステップＳ９３でブランキング期間にある場合には、期間内割り当て部に指示される画面番号のデータを一定量送出する（ステップＳ１０１）。そして、その画面のデータが１フレーム分送出完了したか確認し（ステップＳ１０２）、未完了の場合にはブランキング期間が終了したのか確認する（ステップＳ１０３）。ブランキング期間がまだ終了していなければ、ステップＳ１０１から繰り返して画面データの送出を続け、ブランキング期間が終了した場合にはステップＳ９１へ戻る。そして、画面データの送出が完了した場合には全ての画面の送出が完了したか確認し（ステップＳ１０４）、完了した場合にはブランキング期間に送出すべき他の信号を送出して（ステップＳ１０５）、ステップＳ９１に戻る。逆に、全ての画面の送出が終了していない場合には、画面番号を切替えて（ステップＳ１０６）、その画面データの送出を行なう（ステップＳ１０１）。
【００６３】
次に、図２１に示した映像受信処理構成での動作を、図２３のフローチャートを参照して説明する。まず、同期信号の到着を待って同期をとり（ステップＳ１１１）、ブランキング期間から受け取る画面番号の初期化を行なう（ステップＳ１１２）。次にブランキング期間判別部によりブランキング期間にあるか確認し（ステップＳ１１３）、ブランキング期間にある場合は、ステップＳ１２１〜Ｓ１２６の処理を行ない、そうでない場合は、ステップＳ１１４〜Ｓ１２０の処理を行なう。
【００６４】
まず、ステップＳ１１３でブランキング期間ではない場合には、非圧縮の映像を受信しているか確認し（ステップＳ１１４）、受信していない場合はステップＳ１１１から繰り返す。受信している場合には、記録する座標を初期化し（ステップＳ１１５）、受信したデータをその座標のピクセルとして記録し（ステップＳ１１６）、座標を水平方向に移動して（ステップＳ１１７）、１ライン分の受信が完了したか確認する（ステップＳ１１８）。１ライン分の受信が完了していない間は、ステップＳ１１６から繰り返し、完了した場合には、座標を垂直方向に移動し（ステップＳ１１９）、全ラインの受信を完了したか確認する（ステップＳ１２０）。全ラインの受信が完了していない場合には、ステップＳ１１１から繰り返す。
【００６５】
一方、ステップＳ１１３でブランキング期間にある場合には、ブランキング期間で受信したデータを画面番号の画面のデータとして記録し（ステップＳ１２１）、その画面の１フレーム分を受信したか確認する（ステップＳ１２２）。１フレーム分の受信が未だであったら、ブランキング期間の終了か確認し（ステップＳ１２３）、まだ終了していなければ、ステップＳ１２１に戻って更にデータの受信を行ない、ブランキング期間が終了した場合にはステップＳ１１１から繰り返す。また、１フレーム分のデータを受信完了した場合には、全ての画面の受信が完了したか確認し（ステップＳ１２４）、受信が完了していた場合にはブランキング期間に伝送すべき他の信号を受信して（ステップＳ１２５）、ステップＳ１１１から繰り返す。逆に、全ての画面の受信が完了していない場合には、期間内割り当て部の指定する画面へと変更し（ステップＳ１２６）、ステップＳ１２１から繰り返す。
【００６６】
なお、ブランキング期間で送出する圧縮映像データは、ビットレートが異なっていても構わない。この場合、様々なサイズの映像を送出することが可能となる。
また、非圧縮映像を１フレーム送出する間に、圧縮映像も１フレーム分送出する説明を行なったが、送出するデータ量を映像ごとに変えても良い。この場合、特定の映像の表示フレーム数を変えることが可能となり、早送りなどを行なうことも可能である。
【００６７】
以上説明したようにブランキング期間を利用して複数の映像データを伝送させることで、第１及び第２の実施の形態の場合と同様に、１本のケーブルで複数の映像を伝送することが可能となり、複数のケーブルを設ける必要がなる。そして、動画サムネイルによる表示が可能となり、ソース機器上の複数のコンテンツを容易に選択することが可能となる。また、シンク側の機器が未対応機器の場合は、ブランキング期間内のデータアイランドの映像データを感知しなければ良いだけなので、接続しても映像が乱れたることがない。また、非圧縮映像データも送出されているため、伝送路で規定された最大の映像に対して、非常に高速に切替えることが可能である。
【００６８】
なお、ここまで説明した各実施の形態では、非圧縮映像データを単方向に伝送するＨＤＭＩ規格の伝送路で説明した例について説明したが、同様に画素クロックに同期してベースバンドの非圧縮映像データを伝送するその他の伝送ラインで、送出側と受信側を接続した場合にも適用可能である。
【図面の簡単な説明】
【００６９】
【図１】本発明の第１の実施の形態によるシステム構成例を示すブロック図である。
【図２】本発明の第１の実施の形態による表示装置の構成例を示すブロック図である。
【図３】本発明の第１の実施の形態による録画再生装置の構成例を示すブロック図である。
【図４】本発明の第１の実施の形態によるケーブルでの伝送チャンネル構成例を示す説明図である。
【図５】本発明の第１の実施の形態によるケーブルでの伝送時の１フレームのデータ構成例を示す説明図である。
【図６】本発明の第１の実施の形態による映像送出側での構成例を示すブロック図である。
【図７】本発明の第１の実施の形態による映像受信側での構成例を示すブロック図である。
【図８】本発明の第１の実施の形態による映像送出側での処理例を示すフローチャートである。
【図９】本発明の第１の実施の形態による映像受信側での処理例を示すフローチャートである。
【図１０】本発明の第１の実施の形態によるパケット構成例を示す説明図である。
【図１１】本発明の第１の実施の形態によるパケット構成例を示す説明図である。
【図１２】本発明の第１の実施の形態による伝送例（例１）を示す説明図である。
【図１３】本発明の第１の実施の形態による伝送例（例２）を示す説明図である。
【図１４】本発明の第１の実施の形態による伝送例（例３）を示す説明図である。
【図１５】本発明の第２の実施の形態による映像送出側での構成例を示すブロック図である。
【図１６】本発明の第２の実施の形態による映像受信側での構成例を示すブロック図である。
【図１７】本発明の第２の実施の形態による映像送出側での処理例を示すフローチャートである。
【図１８】本発明の第２の実施の形態による映像受信側での処理例を示すフローチャートである。
【図１９】本発明の第２の実施の形態による１フレームの伝送構成例を示す説明図である。
【図２０】本発明の第３の実施の形態による映像送出側での構成例を示すブロック図である。
【図２１】本発明の第３の実施の形態による映像受信側での構成例を示すブロック図である。
【図２２】本発明の第３の実施の形態による映像送出側での処理例を示すフローチャートである。
【図２３】本発明の第３の実施の形態による映像受信側での処理例を示すフローチャートである。
【図２４】ＨＤＭＩ規格での映像データ伝送例を示す説明図である。
【図２５】ＨＤＭＩ規格での映像データ伝送例を示す説明図である。
【図２６】ＨＤＭＩ規格での映像データ伝送例を示す説明図である。
【符号の説明】
【００７０】
１…ＨＤＭＩケーブル、１０…表示装置（テレビジョン受像機）、１１…ＨＤＭＩ端子、１２…ＨＤＭＩ伝送処理部、１３…ＨＤＭＩ伝送制御部、１６…ネットワーク伝送制御部、１７…制御部、１８…映像表示処理部、１９…表示パネル、２０…音声処理部、２１…出力処理部、２２Ｌ，２２Ｒ…スピーカ、２５…ＨＤＭＩコンテンツリスト記憶部、２６…ＨＤＭＩステータス記憶部、２７…チューナ、３０…第１の録画再生装置、３１…ＨＤＭＩ端子、３２…ＨＤＭＩ伝送処理部、３３…ＨＤＭＩ伝送制御部、３７…制御部、３９…ＨＤＭＩステータス記憶部、４０…機器内ステータス記憶部、４１…機器内コンテンツリスト記憶部、４２…コンテンツ記憶部、４３…コンテンツ録画再生部、４４…チューナ、５０…第２の録画再生装置
【図１】
2007311929.tif 000003
【図２】
2007311929.tif 000004
【図３】
2007311929.tif 000005
【図４】
2007311929.tif 000006
【図５】
2007311929.tif 000007
【図６】
2007311929.tif 000008
【図７】
2007311929.tif 000009
【図８】
2007311929.tif 000010
【図９】
2007311929.tif 000011
【図１０】
2007311929.tif 000012
【図１１】
2007311929.tif 000013
【図１２】
2007311929.tif 000014
【図１３】
2007311929.tif 000015
【図１４】
2007311929.tif 000016
【図１５】
2007311929.tif 000017
【図１６】
2007311929.tif 000018
【図１７】
2007311929.tif 000019
【図１８】
2007311929.tif 000020
【図１９】
2007311929.tif 000021
【図２０】
2007311929.tif 000022
【図２１】
2007311929.tif 000023
【図２２】
2007311929.tif 000024
【図２３】
2007311929.tif 000025
【図２４】
2007311929.tif 000026
【図２５】
2007311929.tif 000027
【図２６】
2007311929.tif 000028